(57)【要約】【課題】本考案は、使用者の足裏に適度の刺激感を与え、かつ簡易な構造の足裏マッサージ器具を提供することを課題とする。【解決手段】足裏マッサージ器具１は、中空円筒４の外周面５に接着剤層６を介して付着された複数個の研削用アルミナ粒子７と、研削用アルミナ粒子7の表面を覆うとともに研削用アルミナ粒子７の高さの三分の一ないし二分の一以下の部分を埋める合成樹脂層８を備えた本体２、及び本体２の両端に、本体２と一体で回転し、本体２よりも径が大きいコーナーキャップ３を有する。【選択図】    図１
0003203501.tif 000002
【実用新案登録請求の範囲】
【請求項１】
中空円筒の外周面に付着された複数個の研削用アルミナ粒子と、該研削用アルミナ粒子の表面を覆うとともに該研削用アルミナ粒子の一部を埋める合成樹脂層を備えた本体、及び該本体の両端に、該本体と一体で回転し、該本体よりも径が大きいコーナーキャップを有する足裏マッサージ器具。
【請求項２】
中空円筒の外周面に接着剤層を介して付着された複数個の研削用アルミナ粒子と、該研削用アルミナ粒子の表面を覆うとともに該研削用アルミナ粒子の高さの三分の一ないし二分の一以下の部分を埋める合成樹脂層を備えた本体、及び該本体の両端に、該本体と一体で回転し、該本体よりも径が大きいコーナーキャップを有する足裏マッサージ器具。
【請求項３】
上記研削用アルミナ粒子の粒度は、２０以上６０以下であることを特徴とする請求項１又は請求項２に記載の足裏マッサージ器具。
【請求項４】
上記コーナーキャップは、少なくとも２個の、本体よりも径が大きくかつ同一径のリング状の凸部及び該リング状の凸部の間にあって、該リング状の凸部よりも径が小さい凹部を有することを特徴とする請求項１ないし請求項３のいずれか１項に記載の足裏マッサージ器具。
【請求項５】
上記コーナーキャップの上記凹部には、上記本体の長手方向と平行に複数の溝が形成されていることを特徴とする請求項４に記載の足裏マッサージ器具。
【考案の詳細な説明】
【技術分野】
【０００１】
本考案は、足裏全体をマッサージすることができる足裏マッサージ器具に関する。
【背景技術】
【０００２】
足裏マッサージ器具としては、従来から「青竹踏み」が知られている。これは太い竹を二つ割りにして床に置き、踏みつけるものであり、竹の湾曲が足の裏を刺激してマッサージ効果を与えるものである。
さらにこれを改良した、底面が平坦で一定の長さ及び厚さを有し上面が凸となるよう湾曲した棒状硬質部材の湾曲表面に、複数の規則的な凹凸を設けたものも提案されている。（例えば、特許文献１参照）
【０００３】
これとは別に、外周面に複数の突起を設けたローラーを使用することにより、土踏まずをマッサージできるような足裏マッサージ器具も提案されている。（例えば、特許文献２ないし４参照）
ところがこのような足裏マッサージ器具では、ローラーが回転するために、お年寄りや子供が使用する場合に滑って転倒する危険があった。
【０００４】
これを改善し、表面にくぼみを有する凹凸ローラーを足裏に当てて、自力で足裏マッサージ器具を転がすことにより、足裏のマッサージを行うようにした回転マッサージ器具も提案されている。例えば、特許文献５では、直管の外表面に樹脂をコーティングした円弧状表面にくぼみを有する凹凸ローラーを複数嵌合し、凹凸ローラーの両側は凹凸ローラーの径よりやや大きい径を有し、表面を樹脂コーティングした円弧状表面を有する平滑ローラーを嵌合して直管の両端からプレス加工することにより、凹凸ローラーと平滑ローラーがカシメられた、足裏マッサージ器具が提案されている。
【先行技術文献】
【特許文献】
【０００５】
【特許文献１】実用新案登録第３１２７１１４号公報
【特許文献２】実開昭６１−１７１９２４号公報
【特許文献３】実用新案登録第３０５００９０号公報
【特許文献４】特開２０１０−１７２４２１号公報
【特許文献５】特開２０１３−１５３８０９号公報
【考案の概要】
【考案が解決しようとする課題】
【０００６】
ところが、従来提案された足裏マッサージ器具では、次のような不都合があった。
上記段落０００２で紹介した足裏マッサージ器具では、表面が平坦あるいは規則的な凹凸のみであるため、足裏のつぼに与える刺激が弱い。
【０００７】
次に、上記段落０００３で紹介した足裏マッサージ器具では、ローラーの外周面に設けた突起により、足裏が過度の刺激を受ける。さらに、ローラーが回転するために、お年寄りや子供が使用する場合に滑って転倒する危険がある。
【０００８】
また、上記段落０００４で紹介した足裏マッサージ器具では、表面にくぼみを有する凹凸ローラーを足裏に当てて、自力で器具を転がすため、滑って転倒する危険は少ないが、表面が規則的で、かつ比較的大きな凹凸であるため、足裏のつぼに与える刺激が弱い。
【０００９】
したがって、本考案は、従来の足裏マッサージ器具の不都合を解決し、使用者の足裏に適度の刺激感を与え、かつ簡易な構造の足裏マッサージ器具を提供することを課題とする。
【課題を解決するための手段】
【００１０】
本考案の上記課題を解決するための手段は、次のとおりである。
（１）中空円筒の外周面に付着された複数個の研削用アルミナ粒子と、該研削用アルミナ粒子の表面を覆うとともに該研削用アルミナ粒子の一部を埋める合成樹脂層を備えた本体、及び該本体の両端に、該本体と一体で回転し、該本体よりも径が大きいコーナーキャップを有する足裏マッサージ器具。
（２）中空円筒の外周面に接着剤層を介して付着された複数個の研削用アルミナ粒子と、該研削用アルミナ粒子の表面を覆うとともに該研削用アルミナ粒子の高さの三分の一ないし二分の一以下の部分を埋める合成樹脂層を備えた本体、及び該本体の両端に、該本体と一体で回転し、該本体よりも径が大きいコーナーキャップを有する足裏マッサージ器具。
（３）上記研削用アルミナ粒子の粒度は、２０以上６０以下であることを特徴とする上記（１）又は（２）に記載の足裏マッサージ器具。
（４）上記コーナーキャップは、少なくとも２個の、本体よりも径が大きくかつ同一径のリング状の凸部及び該リング状の凸部の間にあって、該リング状の凸部よりも径が小さい凹部を有することを特徴とする上記（１）ないし（３）のいずれかに記載の足裏マッサージ器具。
（５）上記コーナーキャップの上記凹部には、上記本体の長手方向と平行に複数の溝が形成されていることを特徴とする上記（４）に記載の足裏マッサージ器具。
【考案の効果】
【００１１】
本考案に係る足裏マッサージ器具によれば、次のような効果が得られる。
（１）本考案に係る足裏マッサージ器具では、本体の表面に研削用アルミナ粒子が不規則に設けられており、微細な研削用アルミナ粒子のそれぞれが微妙に足裏を刺激するため、使用者の足裏に適度の刺激感を与えることができる。
（２）本考案に係る足裏マッサージ器具は、微細な研削用アルミナ粒子を配した本体と両端にコーナーキャップを有する簡易な構造のため、使用者に対して安価で提供することができる。
【図面の簡単な説明】
【００１２】
【図１】本考案に係る足裏マッサージ器具の一実施形態を模式的に示すもので、（Ａ）図は、その上面図、（Ｂ）図は、そのａ−ａ断面図、（Ｃ）図は、（Ｂ）図のさらに部分拡大図である。
【図２】実際に作製された本考案に係る足裏マッサージ器具の一実施形態の写真である。
【図３】そのコーナーキャップ付近の拡大写真である。
【考案を実施するための形態】
【００１３】
（足裏マッサージ器具の実施形態）
図１は、本考案に係る足裏マッサージ器具の一実施形態を模式的に示すもので、（Ａ）図は、その上面図、（Ｂ）図は、そのａ−ａ断面図、（Ｃ）図は、（Ｂ）図のさらに部分拡大図である。
【００１４】
図１（Ａ）からも分かるように、本考案に係る足裏マッサージ器具１は、本体２及びその両端に本体と一体で回転し、本体よりも径が大きい一対のコーナーキャップ３で構成されている。
以下、詳細に説明する。
【００１５】
（足裏マッサージ器具の本体）
足裏マッサージ器具の本体２は、中空円筒４を芯材とする。そして、その外周面５には、接着剤層６を介して研削用アルミナ粒子７が不規則に多数個付着している。
研削用アルミナ粒子７の粒度は、使用者の足裏に適度の刺激感を与えることができる粒度である、２０以上６０以下の粒度とするのが好ましい。
なお、図１では、本考案の理解を容易にするため、研削用アルミナ粒子等は実際のものより拡大して図示されている。
【００１６】
研削用アルミナ粒子の周囲には、接着剤層に接する合成樹脂層が形成されている。合成樹脂層は、研削用アルミナ粒子の高さの三分の一ないし二分の一以下の部分を覆うように設けられている。合成樹脂層の厚さは研削用アルミナ粒子の高さの三分の一未満であると剥離の恐れがあり、二分の一を超えると足裏への刺激の効果が薄れて足裏マッサージ器具としての機能が十分得られない。
なお、露出した研削用アルミナ粒子７の表面には薄くではあるが、合成樹脂層が形成されている。このため、研削用アルミナ粒子の本体２からの剥離防止に寄与している。
【００１７】
（足裏マッサージ器具のコーナーキャップ）
足裏マッサージ器具の本体２の両端には、本体２の端を覆うように、エラストマー等からなるコーナーキャップが、それぞれはめ込まれている。コーナーキャップ３は、本体よりも径が大きく、本体と一体で回転することができる。
【００１８】
コーナーキャップ３は、少なくとも２個の、本体よりも径が大きくかつ同一径のリング状の凸部９、及びリング状の凸部９の間にあって、リング状の凸部よりも径が小さい凹部１０を有するのが好ましい。
さらに、凹部１０には、足裏マッサージ器具を足裏に当てて、自力で器具を転がす際に便利な、本体の長手方向と平行に複数の溝が形成されているのが好ましい。（例えば、図３参照）
【００１９】
（足裏マッサージ器具の作製）
本考案に係る足裏マッサージ器具の作製方法の一例は、次のとおりである。
（１）硬質塩化ビニールからなる中空円筒を用意する。
（２）中空円筒の外周面にプライマー、バインダー等の接着剤を１００〜２００ミクロン付着する。
（３）続いてその上に、粒度２０以上６０以下の、ホワイトアルミナ・褐色アルミナなどの研削用アルミナ粒子を付着させ、乾燥させる。
（４）研削用アルミナ粒子７を付着させた中空円筒の全面に、３００〜４００ミクロンの厚さに合成樹脂塗料を塗布する。合成樹脂塗料は塑性流動し、研削用アルミナ粒子間に合成樹脂層を形成する。合成樹脂層は、研削用アルミナ粒子の高さの三分の一ないし二分の一以下の部分を埋めるように塗布量を調整する。露出した研削用アルミナ粒子の表面にも薄くではあるが、合成樹脂層が形成される。
（５）研削用アルミナ粒子間に合成樹脂層が形成された中空円筒は、所望の長さに切断され足裏マッサージ器具の本体となる。
（６）本体の両端に、本体と一体で回転し、本体よりも径が大きい所定形状のコーナーキャップをはめ込み、足裏マッサージ器具が完成する。
図２は、実際に作製された足裏マッサージ器具の一例の写真である。
また、図３は、そのコーナーキャップ付近の拡大写真である。
【００２０】
以上、本考案に係る足裏マッサージ器具について好適な実施形態を例示して、その構造及び作製方法を説明したが、この実施形態は本考案の技術的範囲を限定するものではなく、実用新案登録請求の範囲に記載された本考案の要旨を逸脱しない範囲内で各種の変更や修正を加えることができることは言うまでもないことである。
【符号の説明】
【００２１】
１  足裏マッサージ器具
２  本体
３  コーナーキャップ
４  中空円筒
５  中空円筒の外周面
６  接着剤層
７  研削用アルミナ粒子
８  合成樹脂層
９  リング状の凸部
１０  コーナーキャップの凹部
【図１】
0003203501.tif 000003
【図２】
0003203501.tif 000004
【図３】
0003203501.tif 000005